(57)【要約】【課題】リーフの接合部分からの漏洩を防止したリーフフィルターを提供する。【解決手段】複数のリーフがそれぞれディスタンスピースを介して順に中空の集液管に対して略直交して配設され、リーフの内周面のハブ金具がディスタンスピースと接合されているリーフフィルターにおいて、リーフとディスタンスピースがボルト止め接合されていることを特徴とし、好ましくはディスタンスピースはその両端にフランジ部を有し、そのフランジ部とリーフの内周面のハブ金具がボルト止め接合されていることを特徴とする。【選択図】図３
2008149277.tif 000002
【特許請求の範囲】
【請求項１】
複数のリーフがそれぞれディスタンスピースを介して順に中空の集液管に対して略直交して配設され、リーフの内周面のハブ金具がディスタンスピースと接合されているリーフフィルターにおいて、リーフのハブ金具とディスタンスピースがボルト止め接合されていることを特徴とするリーフフィルター。
【請求項２】
ディスタンスピースはその両端にフランジ部を有し、そのフランジ部とリーフの内周面のハブ金具がボルト止め接合されていることを特徴とする請求項１記載のリーフフィルター。
【請求項３】
集液管が回転可能であり、水平に配置された横型リーフフィルターであることを特徴とする請求項１または２記載のリーフフィルター。
【発明の詳細な説明】
【技術分野】
【０００１】
本発明は、リーフフィルターに関する。詳しくは、リーフの接合部分からの漏洩を防止したリーフフィルターに関する。
【背景技術】
【０００２】
リーフフィルターは種々の分野で広く使用され、複数のリーフが集液管に略直交して配設された構造をしている。リーフフィルターには、複数のリーフがそれぞれディスタンスピースを介して順に中空の集液管に対して略直交して配設され、リーフ間には、リーフ上のケーキを洗浄除去するための洗浄液のノズルが配置されているものもある。このようなリーフフィルターは、通常、洗浄除去時に集液管の回転によりリーフを回転させて、リーフ全面に洗浄液を供給し、十分にリーフ表面を洗浄する構成となっている。
【０００３】
図１はリーフフィルターの一例を示す模式図である。この例では、フィルター本体１の中央部には多数の貫通孔を形成した中空の集液管３、集液管の上部には洗浄液の供給管４が配置されている。集液管には、複数のリーフ２が貫通孔の位置に集液管に対して略直交して配設されている。集液管は軸受け５によって支持され、モーター６によって回転できるようになっている。
このようなリーフフィルターを用いた濾過は、先ず、濾過助剤スラリー７が供給されリーフ表面にプレコートされる。その際に本体の上部から空気８が抜かれる。次に濾過原液９が供給され、濾過され、濾滓がプレコート上に残り、濾液１０が集液管から回収される。濾過が終了またはリーフが目詰りを起こした際には、モーターによって集液管を回転させることによってリーフを回転させ、リーフ間に洗浄液１１をスプレーしてリーフ上の濾滓および濾過助剤からなるケーキが洗浄除去され、本体底部から洗浄廃液１２が抜取られる。これらの手順を繰り返して濾過が行われる。
【０００４】
従来、リーフやディスタンスピースの接合は、シール材（ガスケット、Ｏ−リング）を挟んで圧接し、端部を締付けて固定している（特許文献１および特許文献２参照。）。
図２は従来のリーフやディスタンスピースの接合状態を示す模式図である。（Ａ）はディスタンスピースがない場合であり、（Ｂ）はリーフとディスタンスピースが順に配設された場合である。
図２において、複数のリーフ１３が、順に中空の集液管１５に対して略直交して配設され、その内周面のハブ金具１４間にシール材１６を挟んで接合されている（Ａ）。また、複数のリーフ１３が、それぞれディスタンスピース１７を介して順に中空の集液管に対して略直交して配設され、リーフの内周面のハブ金具１４とディスタンスピースとの間にシール材１６を挟んで接合されている（Ｂ）。
接合は、水平方向に荷重を加えて、リーフの内周面のハブ金具同士、ハブ金具とディスタンスピースとを圧接し、端部を締付けナット等によって固定している（図示していない）。なお、図１においては、右方向から軸受け方向に荷重を加え、右端部の締付けナット（図示していない。）によって固定している
【０００５】
しかしながら、従来のリーフフィルターでは、使用中に、接合が緩むためか漏れが生じることがあり、リーフの接合部分からの漏洩のないリーフフィルターが望まれている。特に１０枚以上のリーフを有する大型の横型リーフフィルターでは漏れる頻度が高く、リーフの接合部分からの漏洩のないリーフフィルターの要望が高い。
【特許文献１】特開平１０−９９６１０号公報
【特許文献２】実開平６−４１８１０号公報
【発明の開示】
【発明が解決しようとする課題】
【０００６】
本発明の目的は、リーフの接合部分からの漏洩を防止したリーフフィルターを提供することにある。
【課題を解決するための手段】
【０００７】
本発明者等は、リーフの接合部分からの漏洩のないリーフフィルターについて鋭意検討した結果、複数のリーフがそれぞれディスタンスピースを介して順に中空の集液管に対して略直交して配設され、リーフの内周面のハブ金具がディスタンスピースと接合されているリーフフィルターにおいて、リーフのハブ金具とディスタンスピースをボルト止め接合することによって、リーフの接合部分からの漏洩を防止できることを見出し、本発明に至った。
【０００８】
すなわち本発明は、複数のリーフがそれぞれディスタンスピースを介して順に中空の集液管に対して略直交して配設され、リーフの内周面のハブ金具がディスタンスピースと接合されているリーフフィルターにおいて、リーフのハブ金具とディスタンスピースがボルト止め接合されていることを特徴とするリーフフィルターである。
【発明の効果】
【０００９】
本発明のリーフフィルターは、リーフの接合部分からの漏洩がなく、漏洩が生じる度に濾過を中断して開放し、リーフの接合をし直すことが無くなり、これによる生産性の向上、保全作業の削減の効果は大きいものがある。
【発明を実施するための最良の形態】
【００１０】
本発明において、リーフのハブ金具とディスタンスピースがボルト止め接合されている以外は、従来のリーフフィルターと同様の構造をしており、また同様に使用される。
本発明において、リーフの構造は特に限定されるものではなく、通常のものが用いられる。例えば、内部にリテーナ、その両面に多孔支持板、支持板の両面に濾材を有し、外周部は溶接等によって固定され、内周部は中央に円形の開口を有したハブ金具に取り付けられている。リテーナは多孔支持板を保持し、内部を濾液が流れるようにするものであって、通常、目の粗い金網が用いられる。多孔支持板は濾材が変形しないように支持するものであり、多孔質金属板、パンチングプレート、リテーナに使用される金網より細かい金網等が用いられる。濾材としては目の細かい金網、金属繊維、金属粒子等の焼結体等が用いられる。
【００１１】
本発明におけるハブ金具の形状および濾材等の取り付け方法は特に限定されるものではない。例えば、中心孔を囲む内周面と外周面とを有するリング状をなし、外周面から内周面に通じる複数個の導孔を有し、濾材および多孔支持板が外周に溶着されているもの、またリーフ内周部の濾材の両外面をリング状押え板で挟持し、固定したもの等が挙げられる。
【００１２】
本発明において、リーフのハブ金具とディスタンスピースがボルト止め接合されている。図３、図４はこの接合状態を示す模式図である。複数のリーフ１３がそれぞれディスタンスピース１７を介して順に中空の集液管１５に対して略直交して配設され、リーフの内周面のハブ金具１４がディスタンスピースとガスケット１６を挟んでボルト止め１９（ボルトとナットによる固定）接合されている。
これらの図においては、リーフ内周部の濾材の両外面を、ガスケット（図示していない）を挟んで、ハブ金具としてリング状押え板で挟持し、固定している。この際、ボルト止め位置のリーフ内部に、濾材および多孔支持板が変形しないようにスペーサ１８が挿入されているが、スペーサは必ずしも必要ではない。
【００１３】
図３はリーフ間に２個のディスタンスピースが、図４はリーフ間に１個のディスタンスピースが配置されている例である。図３は予め、リーフのハブ金具の両側にディスタンスピースをボルト止めしておき、これを集液管に挿入し、ディスタンスピース同士をボルト止めしながらリーフを配設する場合である。図４はハブ金具付きリーフおよびディスタンスピースを順に集液管に挿入し、順次ボルト止めして配設する場合である。作業性の観点から図３に示す方法が好ましく用いられる。
【００１４】
ディスタンスピースの形状としては、ボルト止めできれば特に限定されるものではないが、通常、両端にフランジ部を有したものが用いられる。ボルト止めの個所は、ハブ金具、フランジ部の大きさにもよるが、通常、約４〜１２個所である。
【００１５】
なお、従来のリーフフィルターと同様に、リーフを固定し、集液管の回転がリーフに伝わるように、集液管の外表面に、その軸方向に伸びる凸状ガイドが設けられている。凸状ガイドの設置個所は、集液管の大きさにもよるが、約２〜６個所である。この凸状ガイド対応してリーフのハブ金具の内周部には、凹状部が設けられており、これらの凹凸が合致するようにリーフが挿入、配設される。従って、リーフは集液管の外周方向には沿ってずれることなく固定される。集液管の軸方向の固定は、通常、一方向から荷重を加え、端部を締付けナット等によって固定して行われる。
なお、ディスタンスピースの内径は、集液管の外径に凸状ガイドの厚さを加えた長さより大きいものとなっている。
【００１６】
複数のリーフのハブ金具とディスタンスピースをボルト止め接合することによって、従来と同様の圧接のみの個所が、締付けナット部等の両側部だけになり、漏洩がほぼ防止される。
特に、従来のリーフの枚数が多く大型の横型リーフフィルターでは、洗浄時のリーフの回転等を繰り返しているうちに、圧接部分が緩み、漏れが生じるが、本発明のリーフフィルターでは、この漏れがほぼ防止される。
【図面の簡単な説明】
【００１７】
【図１】リーフフィルターの一例を示す模式図である。
【図２】従来のリーフやディスタンスピースの接合状態を示す模式図である。
【図３】本発明のリーフとディスタンスピースの接合状態を示す模式図である。
【図４】本発明のリーフとディスタンスピースの接合状態の他の例を示す模式図である。
【符号の説明】
【００１８】
１  フィルター本体
２  リーフ
３  集液管
４  洗浄液供給管
５  軸受け
６  モーター
７  濾過助剤スラリー
８  空気
９  濾過原液
１０  濾液
１１  洗浄液
１２  洗浄廃液
１３  リーフ
１４  ハブ金具
１５  集液管
１６  シール材
１７  ディスタンスピース
１８  スペーサ
１９  ボルト止め
【図１】
2008149277.tif 000003
【図２】
2008149277.tif 000004
【図３】
2008149277.tif 000005
【図４】
2008149277.tif 000006